【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
無線通信装置と、前記無線通信装置と無線通信を行う基地局と、通信ネットワークへの接続を許可するユーザのアカウント情報を管理するアカウント管理装置と、を含む通信システムにおけるユーザ認証方法であって、
前記無線通信装置は、
前記通信ネットワークへ接続するためのユーザ識別子を、前記基地局を介して前記アカウント管理装置へ送信し、
前記アカウント管理装置は、
前記無線通信装置から送信されたユーザ識別子に対応する認証情報に基づいて、前記無線通信装置と前記基地局との間で無線通信を行うための無線パラメータの設定処理に用いられるコード情報を生成し、
生成したコード情報を前記基地局へ送信し、
前記無線通信装置は、
前記アカウント管理装置へ送信したユーザ識別子に対応する認証情報に基づいてコード情報を生成し、
前記基地局は、
前記アカウント管理装置から送信されたコード情報と、前記無線通信装置が生成したコード情報と、が一致するか否かを確認し、
一致することを確認した場合に、前記無線パラメータを前記無線通信装置へ提供すると共に、前記アカウント装置に対して、前記無線パラメータの設定処理の成功を通知し、
前記無線通信装置は、
前記基地局から前記無線パラメータの設定処理の成功が通知された場合に、前記通信ネットワークへの接続を許可されることを特徴とするユーザ認証方法。
【請求項２】
無線ネットワークを介して通信ネットワークに接続する無線通信装置であって、
前記通信ネットワークへ接続するためのユーザ識別子を、基地局を介してアカウント管理装置へ送信する手段と、
前記アカウント管理装置へ送信したユーザ識別子に対応する認証情報を用いてコード情報を生成する手段と、
生成した前記コード情報を用いることにより、前記無線ネットワークのパラメータを前記基地局から取得する手段と、
を有することを特徴とする無線通信装置。
【請求項３】
前記基地局を介して前記アカウント管理装置から送信されるコード生成情報を受信する手段を更に有し、
前記コード情報を生成する手段は、更に前記コード生成情報も用いて、前記コード情報を生成することを特徴とする請求項２に記載の無線通信装置。
【請求項４】
前記コード生成情報は、時刻を表す情報、ランダムに生成した数値、若しくは文字列の情報であることを特徴とする請求項３に記載の無線通信装置。
【請求項５】
前記コード生成情報に基づいて前記コード情報の有効期間を設定する手段を更に有することを特徴とする請求項４に記載の無線通信装置。
【請求項６】
無線通信装置と無線通信を行う基地局であって、
前記無線通信装置が通信ネットワークへ接続するためのユーザ識別子を前記無線通信装置から受信する手段と、
前記ユーザ識別子をアカウント管理装置へ転送する手段と、
前記アカウント管理装置から、転送したユーザ識別子に対応する認証情報に基づいて生成された前記無線通信装置と前記基地局の間で無線通信を行うための無線パラメータの設定処理に用いられるコード情報を取得する手段と、
前記無線通信装置から送信されたコード情報と、前記アカウント管理装置から取得したコード情報と、が一致するか否かを確認する手段と、
前記確認する手段によりコード情報が一致したと確認された場合、前記無線パラメータを前記無線通信装置に提供する手段と、
前記確認する手段によりコード情報が一致したと確認された場合、前記アカウント管理装置に前記無線パラメータの設定処理の成功を通知する手段と、
を有することを特徴とする基地局。
【請求項７】
前記取得する手段は、更にコード生成情報を前記アカウント管理装置から取得し、
前記取得したコード生成情報を前記無線通信装置へ送信する手段を更に有することを特徴とする請求項６に記載の基地局。
【請求項８】
前記コード生成情報は、時刻を表す情報、ランダムに生成した数値、若しくは文字列の情報であることを特徴とする請求項７に記載の基地局。
【請求項９】
前記コード生成情報に基づいて前記コード情報の有効期間を設定する手段を更に有することを特徴とする請求項８に記載の基地局。
【請求項１０】
通信ネットワークへの接続を許可されたユーザのアカウント情報を管理するアカウント管理装置であって、
前記通信ネットワークへ接続するためのユーザ識別子を、基地局を介して無線通信装置から受信する手段と、
前記ユーザ識別子に対応する認証情報を用いて、前記無線通信装置と前記基地局との間で無線通信を行うための無線パラメータの設定処理に用いられるコード情報を生成する手段と、
前記コード情報を前記基地局に送信する手段と、
前記基地局から前記無線パラメータの設定処理の成功通知を受信する手段と、
前記成功通知を受信した場合、前記無線通信装置の通信ネットワークへの接続を許可する処理を行う手段と、
を有することを特徴とするアカウント管理装置。
【請求項１１】
前記コード情報を生成するためのコード生成情報を生成する情報生成手段を更に有し、
前記生成する手段は、前記コード生成情報も用いて前記コード情報を生成し、
前記送信する手段は、前記コード生成情報も基地局に送信することを特徴とする請求項１０に記載のアカウント管理装置。
【請求項１２】
前記コード生成情報は、時刻を表す情報、ランダムに生成した数値、若しくは文字列の情報であることを特徴とする請求項１１に記載のアカウント管理装置。
【請求項１３】
前記コード生成情報に基づいて前記コード情報の有効期間を設定する手段を更に有することを特徴とする請求項１２に記載のアカウント管理装置。
【請求項１４】
請求項２に記載の無線通信装置の各手段としてコンピュータを機能させるためのプログラム。
【請求項１５】
請求項６に記載の基地局の各手段としてコンピュータを機能させるためのプログラム。
【請求項１６】
請求項１０に記載のアカウント管理装置の各手段としてコンピュータを機能させるためのプログラム。
【請求項１７】
請求項１４乃至１６の何れか１項に記載のプログラムを記録したコンピュータ読み取り可能な記録媒体。
【手続補正２】
【補正対象書類名】明細書
【補正対象項目名】００１４
【補正方法】変更
【補正の内容】
【００１４】
本発明は、無線通信装置と、前記無線通信装置と無線通信を行う基地局と、通信ネットワークへの接続を許可するユーザのアカウント情報を管理するアカウント管理装置と、を含む通信システムにおけるユーザ認証方法であって、
前記無線通信装置は、
前記通信ネットワークへ接続するためのユーザ識別子を、前記基地局を介して前記アカウント管理装置へ送信し、
前記アカウント管理装置は、
前記無線通信装置から送信されたユーザ識別子に対応する認証情報に基づいて、前記無線通信装置と前記基地局との間で無線通信を行うための無線パラメータの設定処理に用いられるコード情報を生成し、
生成したコード情報を前記基地局へ送信し、
前記無線通信装置は、
前記アカウント管理装置へ送信したユーザ識別子に対応する認証情報に基づいてコード情報を生成し、
前記基地局は、
前記アカウント管理装置から送信されたコード情報と、前記無線通信装置が生成したコード情報と、が一致するか否かを確認し、
一致することを確認した場合に、前記無線パラメータを前記無線通信装置へ提供すると共に、前記アカウント装置に対して、前記無線パラメータの設定処理の成功を通知し、
前記無線通信装置は、
前記基地局から前記無線パラメータの設定処理の成功が通知された場合に、前記通信ネットワークへの接続を許可されることを特徴とする。
【手続補正３】
【補正対象書類名】明細書
【補正対象項目名】００１５
【補正方法】変更
【補正の内容】
【００１５】
また、本発明は、無線ネットワークを介して通信ネットワークに接続する無線通信装置であって、
前記通信ネットワークへ接続するためのユーザ識別子を、基地局を介してアカウント管理装置へ送信する手段と、
前記アカウント管理装置へ送信したユーザ識別子に対応する認証情報を用いてコード情報を生成する手段と、
生成した前記コード情報を用いることにより、前記無線ネットワークのパラメータを前記基地局から取得する手段と、
を有することを特徴とする。
【手続補正４】
【補正対象書類名】明細書
【補正対象項目名】００１６
【補正方法】変更
【補正の内容】
【００１６】
更に、本発明は、無線通信装置と無線通信を行う基地局であって、
前記無線通信装置が通信ネットワークへ接続するためのユーザ識別子を前記無線通信装置から受信する手段と、
前記ユーザ識別子をアカウント管理装置へ転送する手段と、
前記アカウント管理装置から、転送したユーザ識別子に対応する認証情報に基づいて生成された前記無線通信装置と前記基地局の間で無線通信を行うための無線パラメータの設定処理に用いられるコード情報を取得する手段と、
前記無線通信装置から送信されたコード情報と、前記アカウント管理装置から取得したコード情報と、が一致するか否かを確認する手段と、
前記確認する手段によりコード情報が一致したと確認された場合、前記無線パラメータを前記無線通信装置に提供する手段と、
前記確認する手段によりコード情報が一致したと確認された場合、前記アカウント管理装置に前記無線パラメータの設定処理の成功を通知する手段と、
を有することを特徴とする。
【手続補正５】
【補正対象書類名】明細書
【補正対象項目名】００１７
【補正方法】変更
【補正の内容】
【００１７】
また、本発明は、通信ネットワークへの接続を許可されたユーザのアカウント情報を管理するアカウント管理装置であって、
前記通信ネットワークへ接続するためのユーザ識別子を、基地局を介して無線通信装置から受信する手段と、
前記ユーザ識別子に対応する認証情報を用いて、前記無線通信装置と前記基地局との間で無線通信を行うための無線パラメータの設定処理に用いられるコード情報を生成する手段と、
前記コード情報を前記基地局に送信する手段と、
前記基地局から前記無線パラメータの設定処理の成功通知を受信する手段と、
前記成功通知を受信した場合、前記無線通信装置の通信ネットワークへの接続を許可する処理を行う手段と、
を有することを特徴とする。